(57)【要約】【課題】タッチパネル上で移動可能な操作指示部とタッチパネル上で固定位置となる操作指示部が重なった場合でも、それぞれの操作を容易に選択することを可能とした表示制御装置、制御方法、プログラム、及び記憶媒体を提供する。【解決手段】ビデオカメラは、システム制御部１０１、タッチパネル１２５が設けられた液晶ディスプレイ１２２を備える。システム制御部１０１は、顔検出枠１３１とバッテリアイコン１４３が重なった場合、液晶ディスプレイ１２２に矢印ガイド表示（図５）を行う。操作者が顔検出枠１３１とバッテリアイコン１４３が重なった部分をタッチすると、システム制御部１０１は、液晶ディスプレイ１２２に操作ガイド表示（図６）を行う。【選択図】図６
2013117909.tif 000002
【特許請求の範囲】
【請求項１】
表示装置の表示面に設けられたタッチパネル上に表示される第１の操作指示部と、前記タッチパネルに表示される第２の操作指示部とを表示する表示制御手段と、
前記第１の操作指示部または前記第２の操作指示部が表示されている位置へのタッチ操作に応じて、タッチされた位置の操作指示部の処理が選択されることにより、前記選択された操作指示部に対応する処理を実行する処理手段と、
前記第１の操作指示部と前記第２の操作指示部の表示位置が重なっているかを判定する判定手段と、を有し、
前記判定手段により重なっていると判定された場合、前記表示制御手段は、前記第１の操作指示部または前記第２の操作指示部を選択するためのタッチ操作に関するガイド表示を行うことを特徴とする表示制御装置。
【請求項２】
前記判定手段により重なっていると判定された場合、前記処理手段は、前記第１の操作指示部と前記第２の操作指示部が重なっている位置が所定期間以上タッチされた場合には前記第１の操作指示部に対応する処理を実行し、前記第１の操作指示部と前記第２の操作指示部が重なっている位置がタッチされた後にタッチ位置が移動した場合には、前記第２の操作指示部に対応する処理を実行することを特徴とする請求項１に記載の表示制御装置。
【請求項３】
前記判定手段により重なっていると判定された場合、前記表示制御手段は、前記第１の操作指示部と前記第２の操作指示部が重なっている位置を所定期間以上タッチすることにより、前記第１の操作指示部が選択されることを示すガイド表示を行うことを特徴とする請求項１又は２に記載の表示制御装置。
【請求項４】
前記判定手段により重なっていると判定された場合、前記表示制御手段は、前記第１の操作指示部と前記第２の操作指示部が重なっている位置がタッチされた後にタッチ位置を移動させることにより、前記第２の操作指示部が選択されることを示すガイド表示を行うことを特徴とする請求項１乃至３のいずれか１項に記載の表示制御装置。
【請求項５】
前記表示制御手段は、前記第１の操作指示部と前記第２の操作指示部が重なっている位置がタッチされた後に所定の方向にタッチ位置を移動させることにより、前記第２の操作指示部が選択されることを示すガイド表示を行うことを特徴とする請求項４に記載の表示制御装置。
【請求項６】
前記第２の操作指示部はアイコンであり、
前記表示制御手段は、前記第１の操作指示部と前記第２の操作指示部が重なっている位置がタッチされた後にタッチ位置が前記所定の方向に移動した場合は、前記所定の方向にアイコンを移動させて表示することを特徴とする請求項５に記載の表示制御装置。
【請求項７】
前記表示制御装置は撮像装置であり、
前記表示面には撮影画像に重畳して前記第１の操作指示部および前記第２の操作指示部が表示され、
前記第１の操作指示部は、前記撮影画像から検出された顔の位置を示す顔検出枠であり、
前記第２の操作指示部は、前記撮像装置の機能に関するアイコンであることを特徴とする請求項１乃至６のいずれか１項に記載の表示制御装置。
【請求項８】
表示制御装置の制御方法であって、
表示装置の表示面に設けられたタッチパネル上に表示される第１の操作指示部と、前記タッチパネルに表示される第２の操作指示部とを表示する表示制御工程と、
前記第１の操作指示部または前記第２の操作指示部が表示されている位置へのタッチ操作に応じて、タッチされた位置の操作指示部の処理が選択されることにより、前記選択された操作指示部に対応する処理を実行する処理工程と、
前記第１の操作指示部と前記第２の操作指示部の表示位置が重なっているかを判定する判定工程と、を有し、
前記判定工程により重なっていると判定された場合、前記表示制御工程では、前記第１の操作指示部または前記第２の操作指示部を選択するためのタッチ操作に関するガイド表示を行うことを特徴とする制御方法。
【請求項９】
請求項８に記載の表示制御装置の制御方法をコンピュータに実行させるためのコンピュータで読み取り可能なプログラムコードを有するプログラム。
【請求項１０】
請求項９に記載のプログラムを格納することを特徴とするコンピュータで読み取り可能な記憶媒体。
【発明の詳細な説明】
【技術分野】
【０００１】
本発明は、タッチパネルを備えた表示装置に対する表示制御を行う表示制御装置、制御方法、プログラム、及び記憶媒体に関する。
【背景技術】
【０００２】
従来、ビデオカメラの設定や撮影の指示等の操作を行う方法としては、ビデオカメラに設けられたスイッチ等の操作部材を用いて操作を行う方法がある。
【０００３】
他方、ビデオカメラの小型化を図るため、操作部材の代わりに液晶パネルの上面に設けたタッチパネルを介してビデオカメラの操作を行う技術が提案されている（例えば、特許文献１参照）。特許文献１記載の技術は、ビデオカメラで撮影した画像の再生、停止、早送り／戻し等を指示する操作ボタンを液晶パネルに表示して、操作者が表示に従ってタッチパネルを指で触ることでビデオカメラの操作を行うものである。
【０００４】
また、撮影時に被写体の顔を検出することにより、検出した顔に対して合焦動作を行う顔検出ＡＦ（Auto Focus）技術を用いたビデオカメラが知られている。顔検出ＡＦ技術では、複数の顔を認識した場合は、複数の選択枠を液晶パネルに表示して、操作者が表示に従ってタッチパネルを指で触ることで選択枠の選択を行い、選択した顔に対して合焦動作を行う。
【先行技術文献】
【特許文献】
【０００５】
【特許文献１】特開平６−７０２０６号公報
【発明の概要】
【発明が解決しようとする課題】
【０００６】
しかしながら、上述した従来のビデオカメラの表示制御技術においては、被写体の顔検出などに用いる選択枠を液晶パネルに表示する場合、選択枠は液晶パネルの表示領域において固定な位置とならない。このため、被写体の顔の選択枠と、画像の再生、停止、早送り／戻し等の操作ボタンの表示とが重なってしまうことがあり、操作者にとっては選択枠操作と操作ボタン操作のそれぞれの操作の選択が分かりにくいといった問題があった。
【０００７】
本発明の目的は、タッチパネル上で移動可能な操作指示部とタッチパネル上で固定位置となる操作指示部が重なった場合でも、それぞれの操作を容易に選択することを可能とした表示制御装置、制御方法、プログラム、及び記憶媒体を提供することにある。
【課題を解決するための手段】
【０００８】
上記目的を達成するために、本発明は、表示装置の表示面に設けられたタッチパネル上に表示される第１の操作指示部と、前記タッチパネルに表示される第２の操作指示部とを表示する表示制御手段と、前記第１の操作指示部または前記第２の操作指示部が表示されている位置へのタッチ操作に応じて、タッチされた位置の操作指示部の処理が選択されることにより、前記選択された操作指示部に対応する処理を実行する処理手段と、前記第１の操作指示部と前記第２の操作指示部の表示位置が重なっているかを判定する判定手段と、を有し、前記判定手段により重なっていると判定された場合、前記表示制御手段は、前記第１の操作指示部または前記第２の操作指示部を選択するためのタッチ操作に関するガイド表示を行うことを特徴とする。
【発明の効果】
【０００９】
本発明によれば、第１の操作指示部と第２の操作指示部が重なった場合、タッチ操作する位置の移動を促すガイドを報知するので、第１の操作指示部と第２の操作指示部に対する、それぞれの操作を容易に選択することが可能となる。
【図面の簡単な説明】
【００１０】
【図１】本発明の第１の実施の形態に係る撮像装置としてのビデオカメラの構成を示すブロック図である。
【図２】ビデオカメラの液晶ディスプレイ上で顔検出枠を選択する例を示す図である。
【図３】液晶ディスプレイ上のタッチパネルアイコンボタンの操作によりバッテリ情報表示を切り替える例を示す図である。
【図４】液晶ディスプレイ上のタッチパネルアイコンボタンの操作によりバッテリ情報表示を切り替える例を示す図である。
【図５】液晶ディスプレイ上の顔検出枠とバッテリアイコンが重なった場合の表示例を示す図である。
【図６】液晶ディスプレイ上の顔検出枠とバッテリアイコンが重なった部分をタッチした場合の操作ガイドの表示例を示す図である。
【図７】液晶ディスプレイ上の顔検出枠とバッテリアイコンが重なった部分をタッチした位置をタイマがタイムオーバーする前にスライドした場合の表示例を示す図である。
【図８】ビデオカメラのタッチパネル処理を示すフローチャートである。
【図９】ビデオカメラのタッチパネル処理を示すフローチャートである。
【図１０】ビデオカメラのタッチパネル処理を示すフローチャートである。
【図１１】本発明の第２の実施の形態に係る撮像装置としてのビデオカメラの液晶ディスプレイ上の顔検出枠とバッテリアイコンが重なった場合の表示例を示す図である。
【図１２】液晶ディスプレイ上の顔検出枠とバッテリアイコンが重なった部分をタッチした場合のバッテリアイコン小の表示例を示す図である。
【図１３】液晶ディスプレイ上の顔検出枠とバッテリアイコンが重なった部分をタッチした位置をタイマがタイムオーバーする前にバッテリアイコン小とした場合の表示例を示す図である。
【図１４】ビデオカメラのタッチパネル処理を示すフローチャートである。
【図１５】ビデオカメラのタッチパネル処理を示すフローチャートである。
【図１６】ビデオカメラのタッチパネル処理を示すフローチャートである。
【発明を実施するための形態】
【００１１】
以下、本発明の実施の形態について図面を参照しながら説明する。
【００１２】
〔第１の実施の形態〕
図１は、本発明の第１の実施の形態に係る撮像装置としてのビデオカメラの構成を示すブロック図である。
【００１３】
図１において、ビデオカメラは、システム制御部１０１、撮影処理部１０４、映像信号処理部１０５、ディスプレイ制御部１０６、操作部１０７、メモリ１０８、記憶媒体１０９が内部バス１１１を介して接続された構成を有する。システム制御部１０１は、本発明の表示制御装置の検出手段と制御手段を実現するための一例である。
【００１４】
システム制御部１０１は、ＣＰＵ、ＲＯＭ、ＲＡＭ、タイマ（不図示）等を備えており、ＲＯＭに格納された制御プログラムに従ってビデオカメラ各部の動作を制御する。また、システム制御部１０１は、後述の顔検出枠、タッチパネルアイコンボタンに対するそれぞれのタッチ操作に対応した動作（顔検出枠の選択、アイコンの簡易／詳細表示など）を可能とする。
【００１５】
また、システム制御部１０１は、操作者が後述のタッチパネルにタッチしていない状態からタッチへと移行した状態か否かを判断するためのKeyFirstFlagの値、操作者からの操作の受け付けを否とするKeyDisFlagの値のチェック等を行う。詳細は後述する。
【００１６】
撮影処理部１０４は、レンズ１２０を制御して合焦動作を行うと共に、ＣＣＤ１２１等を制御して撮像動作を行う。映像信号処理部１０５は、ＣＣＤ１２１から出力される信号を処理する。ディスプレイ制御部１０６は、ディスプレイ制御部１０６に接続された液晶ディスプレイ１２２（表示装置）の表示制御を行うことで、図２〜図７、図１１〜図１３に示す操作ＵＩ（User Interface）を液晶ディスプレイ１２２に表示する。
【００１７】
操作部１０７は、タッチパネル１２５、本体スイッチ１２６を備えており、操作者によるタッチパネル１２５、本体スイッチ１２６の操作に対応した情報をシステム制御部１０１に出力する。タッチパネル１２５は、液晶ディスプレイ１２２の表示面の前面側に設けられている。メモリ１０８には、映像信号処理部１０５で映像信号処理が施された被写体の撮影画像の映像データが一時的に記憶される。記憶媒体１０９には、メモリ１０８に記憶された映像データが記録される。
【００１８】
本実施の形態のビデオカメラは、顔検出機能を有すると共に顔ＡＦを用いた撮影が可能に構成されている。顔ＡＦとは、ビデオカメラの顔検出機能によって検出された撮影画面内の顔に対してＡＦ動作を行うことである。以下、ビデオカメラの顔検出機能について説明する。
【００１９】
システム制御部１０１は、顔検出対象の映像データを映像信号処理部１０５に送る。映像信号処理部１０５は、システム制御部１０１の制御下で、映像データに水平方向バンドパスフィルタを作用させる。また、映像信号処理部１０５は、システム制御部１０１の制御下で、水平方向バンドパスフィルタ処理された映像データに垂直方向バンドパスフィルタを作用させる。これら水平バンドパスフィルタ及び垂直方向バンドパスフィルタにより、映像データからエッジ成分が検出される。
【００２０】
その後、システム制御部１０１は、検出されたエッジ成分に関してパターンマッチングを行い、目、鼻、口、耳の候補群を抽出する。更に、システム制御部１０１は、抽出された目の候補群の中から、予め設定された条件（例えば２つの目の距離や傾き等）を満たすものを目の対と判断し、目の対があるもののみ目の候補群として絞り込む。
【００２１】
そして、システム制御部１０１は、絞り込まれた目の候補群と、それに対応する顔を形成する他のパーツ（例えば鼻、口、耳）とを対応付け、また、予め設定した非顔条件フィルタを通すことで、顔を検出する。システム制御部１０１は、顔の検出結果に応じて被写体情報である顔情報を出力し、顔検出処理を終了する。
【００２２】
以上のようにライブビュー表示あるいは再生表示される画像データ（映像データ）を画像解析し、画像データの特徴量を抽出することで被写体情報を検出することが可能である。本実施の形態では、被写体情報として顔情報を例に挙げているが、これに限定されるものではない。被写体情報には、他にも、赤目判定、目の検出、目つむり検出、笑顔検出等の様々な情報がある。
【００２３】
図２は、ビデオカメラの液晶ディスプレイ上で顔検出枠を選択する例を示す図である。
【００２４】
図２において、液晶ディスプレイ１２２の表示面の前面側には、タッチ反応領域を有するタッチパネル１２５が設けられている。液晶ディスプレイ１２２には、タッチパネル１２５の操作により顔検出枠１３１（第１の操作指示部）が表示可能であり、また、後述の矢印ガイド、操作ガイド（文字ガイド）が表示可能である。タッチパネル１２５には、タッチパネルアイコンボタン（第２の操作指示部）として動作モードアイコン１４１、記録先アイコン１４２、バッテリアイコン１４３が設けられている。顔検出枠１３１とアイコンは撮影画像に重畳して表示される。
【００２５】
動作モードアイコン１４１は、ビデオカメラの動作モード（記録、記録一時停止等）の指示に用いる。記録先アイコン１４２は、映像データの記録先（メモリ１０８、記憶媒体１０９）の指示に用いる。バッテリアイコン１４３は、ビデオカメラに搭載されたバッテリに関する情報（残量、使用可能時間等）の表示の指示に用いる。
【００２６】
システム制御部１０１は、ディスプレイ制御部１０６により図２に示す顔検出枠を液晶ディスプレイ１２２に表示する。液晶ディスプレイ１２２に複数の顔及び顔検出枠が表示されている場合、操作者がタッチパネル１２５の操作により所望の顔検出枠を選択することが可能である。操作部１０７は、選択された顔検出枠に対応する情報をシステム制御部１０１に出力する。システム制御部１０１は、選択された顔検出枠で囲まれた顔に対してＡＦ動作を行う。
【００２７】
次に、上記の構成を有する本実施の形態のビデオカメラの動作について図１乃至図１０を参照しながら説明する。
【００２８】
本実施の形態では、液晶ディスプレイ１２２の表示面に設けられたタッチパネル上で移動可能なタッチ反応領域（顔検出枠で囲まれた領域）と、タッチパネル上で固定位置となるタッチ反応領域（アイコンの領域）が表示面で重なった場合は、次の表示を行う。ビデオカメラの操作者に対して操作を促すガイドを表示面に表示する。以下、操作者がガイドに沿ったタッチを行った方の動作を行う制御例について説明する。
【００２９】
なお、上記のタッチパネル上で固定となるタッチ反応領域（アイコンの領域）は、後述するように、顔検出枠１３１とアイコンが重なった場合は表示面内でスライド（移動）させることが可能に構成されている。
【００３０】
図３、図４は、液晶ディスプレイ上のタッチパネルアイコンボタンの操作によりバッテリ情報表示を切り替える例を示す図である。
【００３１】
液晶ディスプレイ１２２に図３に示すバッテリアイコン１４３のみの簡易情報（バッテリアイコン１４３内にバッテリの概略残量を示す情報）を表示中に、タッチパネル１２５の操作によりバッテリアイコン１４３がタッチされた場合は、次の表示制御を行う。
【００３２】
操作部１０７は、操作者によるタッチパネル１２５の操作に対応した情報をシステム制御部１０１に出力する。システム制御部１０１は、ディスプレイ制御部１０６の制御により液晶ディスプレイ１２２にバッテリ情報として図４に示す詳細情報（バッテリアイコン１４３の横にビデオカメラの使用可能時間を示す情報）を表示する。
【００３３】
他方、操作者によるタッチパネル１２５の操作により詳細情報表示から簡易情報表示への切り替えが指示された場合、システム制御部１０１は、ディスプレイ制御部１０６の制御により液晶ディスプレイ１２２を詳細情報表示から簡易情報表示に切り替える。
【００３４】
図５は、液晶ディスプレイ上の顔検出枠とバッテリアイコンが重なった場合の表示例を示す図である。図６は、液晶ディスプレイ上の顔検出枠とバッテリアイコンが重なった部分をタッチした場合の操作ガイドの表示例を示す図である。図７は、液晶ディスプレイ上の顔検出枠とバッテリアイコンが重なった部分をタッチした位置をタイマがタイムオーバーする前にスライドした場合の表示例を示す図である。
【００３５】
システム制御部１０１は、液晶ディスプレイ１２２上において顔検出枠１３１とバッテリアイコン１４３が重なって表示されたか（表示位置が重なっているか）否かを検出する。重なって表示された場合は、システム制御部１０１は、ディスプレイ制御部１０６の制御により液晶ディスプレイ１２２に図５に示す矢印ガイド表示を行う。矢印ガイド表示とは、後述のようにバッテリアイコンをなぞるようにスライドする所定の方向（本例では右方向）を操作者に示す記号による表示である。
【００３６】
ここで、顔検出枠１３１とバッテリアイコン１４３が重なって表示された場合、ユーザがどちらの表示オブジェクトに対してタッチ操作を行ったのかシステム制御部は判断できなくなる。そこで、システム制御部１０１は、顔検出枠１３１とバッテリアイコン１４３（他のアイコンも含む）に対して、それぞれ次の操作を割り当てる。顔検出枠１３１にはタッチ位置を一定時間保持する操作（タッチし続ける操作）、バッテリアイコン１４３にはタッチする位置を移動（スライド）させる操作を割り当てる。それぞれの表示オブジェクトに対するタッチ操作の方法が変わったため、その旨をユーザに放置するために、ガイド表示を行う。
【００３７】
操作者が図６に示す顔検出枠１３１とバッテリアイコン１４３が重なった部分（実線の楕円部分）をタッチすると、タッチパネル１２５と操作部１０７から出力される情報により、システム制御部１０１は、重なった部分のタッチを認識する。
【００３８】
システム制御部１０１は、ディスプレイ制御部１０６により液晶ディスプレイ１２２に図６に示す詳細な操作ガイド表示（「バッテリアイコンは矢印方向へスライド  顔枠選択はそのまま」）を行う。図６は、図５の矢印ガイドに、顔検出枠１３１とバッテリアイコン１４３の操作用の操作ガイド（文字ガイド）を追加したものである。
【００３９】
また、システム制御部１０１は、設定時間経過後にタイムオーバーとなるタイマを起動する。タイマがタイムオーバーする前に操作者が図７に示すようにタッチ位置をスライドした場合は（破線の楕円部分→実線の楕円部分）、システム制御部１０１は、タッチパネル１２５と操作部１０７から出力される情報により、タッチ位置のスライドを認識する。
【００４０】
システム制御部１０１は、タイマがタイムオーバーせず且つタッチ位置のスライドにより、ディスプレイ制御部１０６に対してバッテリ情報表示をバッテリアイコン１４３のみの簡易情報表示に切り替える指示を行い、図２の簡易情報表示とする。
【００４１】
他方、タイマがタイムオーバーするまで操作者によるタッチ位置の移動がない場合は、システム制御部１０１は、タッチパネル１２５と操作部１０７から出力される情報により、タッチ位置が移動されていないことを認識する。システム制御部１０１は、タイマがタイムオーバーし且つタッチ位置の移動がないことにより、タッチ位置の顔検出枠が選択されたと判断する。システム制御部１０１は、選択された顔検出枠に対して合焦動作を行うように撮影処理部１０４を制御し、合焦動作を行う。
【００４２】
図８、図９、図１０は、ビデオカメラのタッチパネル処理を示すフローチャートである。タッチパネル処理は、システム制御部１０１がシステム制御部１０１内のＲＯＭに格納された制御プログラムをＲＡＭに展開して実行することにより実現される。
【００４３】
図８、図９において、システム制御部１０１は、操作者がタッチパネルにタッチしているか否かをチェックする（ステップＳ５０１）。操作者がタッチパネルにタッチしていない場合は、ステップＳ５６０へ進む。操作者がタッチパネルにタッチしている場合は、システム制御部１０１は、操作者がタッチパネルにタッチした位置の座標をｘ１、ｙ１として取り込む（ステップＳ５０２）。
【００４４】
次に、システム制御部１０１は、操作者がタッチパネルにタッチしていない状態からタッチへと移行した状態か否かを判断するため、予め設定したフラグ（KeyFirstFlag）の値をチェックする（ステップＳ５０３）。KeyFirstFlagの値が１の場合は、ステップＳ５０６へ進む。KeyFirstFlagの値が０の場合は、システム制御部１０１は、操作者がタッチパネルに対するタッチへと移行した状態と判断し、操作者がタッチパネルにタッチした位置の座標をｘ２、ｙ２として取り込む（ステップＳ５０４）。
【００４５】
次に、システム制御部１０１は、操作者がタッチした位置の座標がバッテリアイコン内に含まれているか否かを判断する（ステップＳ５０６）。操作者がタッチした位置の座標がバッテリアイコン内に含まれている場合は、ステップＳ５２０へ進む。操作者がタッチした位置の座標がバッテリアイコン内に含まれていない場合は、操作者がタッチした位置の座標が顔検出枠内に含まれているか否かを判断する（ステップＳ５０７）。
【００４６】
操作者がタッチした位置の座標が顔検出枠内に含まれていない場合は、ステップＳ５０９へ進む。操作者がタッチした位置の座標が顔検出枠内に含まれている場合は、操作者がタッチした位置はバッテリアイコン内に含まれず且つ顔検出枠内に含まれている位置となり、システム制御部１０１は次のチェックを行う。操作者からの操作を受け付けるか否かを判断するため、予め設定したフラグ（KeyDisFlag）の値をチェックする（ステップＳ５０８）。
【００４７】
操作を受け付けない場合は（KeyDisFlagの値が１）、ステップＳ５４９へ進む。操作を受け付ける場合は（KeyDisFlagの値が０）、システム制御部１０１は、操作者の顔検出枠の選択操作に応じた顔検出枠選択処理を行う（ステップＳ５０９）。次に、システム制御部１０１は、操作者が顔検出枠内の位置をタッチのままとすると、ステップＳ５０９での再度の顔検出枠選択処理となるのを防ぐため、操作の受け付けを否とするKeyDisFlagの値を１とする（ステップＳ５１０）。その後、ステップＳ４９へ進む。
【００４８】
上記ステップＳ５０６において、操作者がタッチした位置の座標がバッテリアイコン内に含まれている場合は、システム制御部１０１は、操作者がタッチした位置の座標が顔検出枠内に含まれているか否かを判断する（ステップＳ５２０）。
【００４９】
操作者がタッチした位置の座標が顔検出枠内に含まれている場合は、ステップＳ５２９へ進む。操作者がタッチした位置の座標が顔検出枠内に含まれていない場合は、システム制御部１０１は次のチェックを行う。操作者がタッチした位置はバッテリアイコン内に含まれ且つ顔検出枠内に含まれていない位置となり、操作を受け付けるか否かを判断するため、KeyDisFlagの値をチェックする（ステップＳ５２１）。
【００５０】
操作を受け付けない場合は（KeyDisFlagの値が１）、ステップＳ５４９へ進む。操作を受け付ける場合は（KeyDisFlagの値が０）、システム制御部１０１は、液晶ディスプレイ１２２のバッテリ情報表示が詳細情報表示か簡易情報表示かを判断する（ステップＳ５２２）。
【００５１】
バッテリ情報表示が詳細情報表示の場合は、システム制御部１０１は、操作者がバッテリアイコンのタッチ操作を行うため、バッテリ情報表示を詳細情報表示から簡易情報表示とする（ステップＳ５２３）。バッテリ情報表示が簡易情報表示の場合は、システム制御部１０１は、操作者がバッテリアイコンのタッチ操作を行うため、バッテリ情報表示を簡易情報表示から詳細情報表示とする（ステップＳ５２４）。
【００５２】
なお、上記ステップＳ５２２、ステップＳ５２３、ステップＳ５２４の処理は、バッテリアイコンのバッテリ情報表示を簡易情報表示（図３）と詳細情報表示（図４）とのいずれかに切り替え（トグル動作）が可能であることを示している。
【００５３】
次に、システム制御部１０１は、操作者がバッテリアイコン内の位置をタッチのままとすると、ステップＳ５２３、ステップＳ５２４での再度の処理となるのを防ぐため、操作の受け付けを否とするKeyDisFlagの値を１とする（ステップＳ５２５）。この後、ステップＳ５４９へ進む。
【００５４】
上記ステップＳ５２０において、操作者がタッチした位置の座標が顔検出枠内に含まれている場合は、システム制御部１０１は、KeyFirstFlagの値をチェックする（ステップＳ５２９）。KeyFirstFlagの値が０の場合は、ステップＳ５４９へ進む。KeyFirstFlagの値が１の場合は、操作者がタッチパネル１２５上でタッチした位置の移動の有無を判断するため、システム制御部１０１は次の判断を行う。
【００５５】
操作者がタッチパネル１２５上で最初にタッチした位置の座標であるｘ１、ｙ１と、現在タッチしている位置の座標ｘ２、ｙ２の差をとり、ｘ１とｘ２の差が設定値ｎ以上か否か、ｙ１とｙ２の差が設定値ｍ以上か否かを判断する（ステップＳ５３０）。ｘ１とｘ２の差が設定値ｎ未満で、ｙ１とｙ２の差が設定値ｍ未満の場合は、システム制御部１０１は、操作者がタッチした位置が移動無しと判断し、ステップＳ５３３へ進む。
【００５６】
ｘ１とｘ２の差が設定値ｎ以上で、ｙ１とｙ２の差が設定値ｍ以上の場合は、システム制御部１０１は、操作者がタッチした位置が移動有りと判断し、操作者がタッチした位置の座標がバッテリアイコン内に含まれているか否かを判断する（ステップＳ５３１）。
【００５７】
操作者がタッチした位置の座標がバッテリアイコン内に含まれている場合は、システム制御部１０１は次の処理を行う。操作者がタッチした位置が移動有りで且つバッテリアイコン内に含まれている位置となるため、操作者は操作ガイドの矢印表示に沿ってタッチしたと判断し、ステップＳ５２１へ進む。
【００５８】
操作者がタッチした位置の座標がバッテリアイコン内に含まれていない場合は、システム制御部１０１は次の処理を行う。操作者がタッチした位置が移動有りで且つ操作ガイドの矢印表示に沿ってタッチしていないと判断し、操作者からの操作の受け付けを否とするKeyDisFlagの値を１とする（ステップＳ５３２）。その後、ステップＳ５４９へ進む。
【００５９】
上記ステップＳ５３０において、ｘ１とｘ２の差が設定値ｎ未満で、ｙ１とｙ２の差が設定値ｍ未満の場合は、システム制御部１０１は、タイマがタイムオーバーしているか否かを判断する（ステップＳ５３３）。タイマがタイムオーバーしていない場合は、ステップＳ５４９へ進む。タイマがタイムオーバーしている場合は、システム制御部１０１は、操作者のタッチ操作は一定時間タッチ位置が移動無しでのタッチ操作であると判断し、ステップＳ５０８へ進む。
【００６０】
上記の該当する各ステップからステップＳ５４９へ進んだ場合は、システム制御部１０１は次の処理を行う。KeyFirstFlagの値を１とすることにより、ステップＳ５０１の判断とKeyFirstFlagの値により操作者がタッチパネルにタッチしていない状態からタッチへと移行した状態か否かの判断を可能とする（ステップＳ５４９）。
【００６１】
次に、システム制御部１０１は、タイマがタイムオーバーしているか否かを判断する（ステップＳ５５０）。タイマがタイムオーバーしている場合は、ステップＳ５０１へ戻る。タイマがタイムオーバーしていない場合は、システム制御部１０１は、タイマのカウントアップを行い（ステップＳ５５１）、ステップＳ５０１へ戻る。
【００６２】
上記ステップＳ５０１において、操作者がタッチパネルにタッチしていない場合は、ステップＳ５６０以下の処理を行う。ステップＳ５６０、ステップＳ５６１、ステップＳ５６２では、システム制御部１０１は、操作者がタッチパネルにタッチしていないことにより、情報の初期化を行う。
【００６３】
まず、システム制御部１０１は、操作者がタッチパネルにタッチしていない状態からタッチへと移行した状態か否かを判断するためのKeyFirstFlagの値をクリアする（ステップＳ５６０）。次に、システム制御部１０１は、操作者からの操作の受け付けを否とするKeyDisFlagの値をクリアする（ステップＳ５６１）。次に、システム制御部１０１は、タイマをクリアすると共にタイマをスタートし（ステップＳ）、ステップＳ５５０へ進む。
【００６４】
図１０において、システム制御部１０１は、液晶ディスプレイ１２２上で顔検出枠とバッテリアイコンが重なっているか否かを判断する（ステップＳ５７０）。顔検出枠とバッテリアイコンが重なっていない場合は、システム制御部１０１は、図５に示す矢印ガイド表示及び図６に示す操作ガイド表示（文字ガイド表示）をＯＦＦし（ステップＳ５７２）、ステップＳ５７０へ戻る。顔検出枠とバッテリアイコンが重なっている場合は、システム制御部１０１は、図５に示す矢印ガイド表示をＯＮする（ステップＳ５７１）。
【００６５】
次に、システム制御部１０１は、操作者がタッチパネル１２５上の顔検出枠とバッテリアイコンとが重なった領域をタッチしているか否かを判断する（ステップＳ５７３）。操作者が顔検出枠とバッテリアイコンが重なった領域をタッチしている場合は、システム制御部１０１は、図６に示す操作ガイド表示をＯＮし（ステップＳ５７４）、ステップＳ５７０へ戻る。操作者が顔検出枠とバッテリアイコンが重なった領域をタッチしていない場合は、システム制御部１０１は、図６に示す操作ガイド表示をＯＦＦし（ステップＳ５７５）、ステップＳ５７０へ戻る。
【００６６】
以上説明したように、本実施の形態によれば以下の効果を奏する。タッチパネル１２５のタッチ反応領域を移動可能とする操作（顔検出枠）と、タッチ反応領域を固定とする操作（バッテリアイコン）が重なった場合でも、それぞれの操作を容易に選択して実行することができる。
【００６７】
また、顔検出枠とバッテリアイコンが重なった場合（図６）において、バッテリアイコンのタッチ操作を選択したい場合は、操作ガイドに従ってバッテリアイコンをなぞるようにスライドすればよいため、選択が容易になる。また、顔検出枠のタッチ操作を選択したい場合は、タッチ位置を一定時間保持（所定期間以上タッチ）するだけでよいため、選択が容易になる。
【００６８】
〔第２の実施の形態〕
本発明の第２の実施の形態は、上記第１の実施の形態に対して、図１１乃至図１６で説明する点において相違する。本実施の形態のその他の要素は、上記第１の実施の形態（図１）の対応するものと同一なので説明を省略する。
【００６９】
本実施の形態では、液晶ディスプレイ１２２の表示面に設けられたタッチパネル上で移動可能なタッチ反応領域（顔検出枠で囲まれた領域）と、タッチパネル上で固定位置となるタッチ反応領域（アイコンの領域）が表示面で重なった場合は、次の表示を行う。タッチパネル上で固定位置となるタッチ反応領域を表示面内で移動可能とすると共に、該タッチ反応領域が移動したことを示すガイドを表示面に表示する。以下、タッチ反応領域が移動したことを示すガイドを表示する制御例について説明する。
【００７０】
なお、上記のタッチパネル上で固定位置となるタッチ反応領域（アイコンの領域）は、顔検出枠１３１とアイコンが重なった場合は表示面内でスライド（移動）させることが可能に構成されている。
【００７１】
図１１は、本実施の形態に係るビデオカメラの液晶ディスプレイ上の顔検出枠とバッテリアイコンが重なった場合の表示例を示す図である。図１２は、液晶ディスプレイ上の顔検出枠とバッテリアイコンが重なった部分をタッチした場合のバッテリアイコン小の表示例を示す図である。図１３は、液晶ディスプレイ上の顔検出枠とバッテリアイコンが重なった部分をタッチした位置をタイマがタイムオーバーする前にバッテリアイコン小とした場合の表示例を示す図である。
【００７２】
システム制御部１０１は、システム制御部１０１は、液晶ディスプレイ１２２上において顔検出枠１３１とバッテリアイコン１４３が重なって表示されているか否かを検出する。重なって表示されている場合は、システム制御部１０１は、ディスプレイ制御部１０６の制御により液晶ディスプレイ１２２に図１１に示す矢印ガイド表示とバッテリアイコン小表示を行う。
【００７３】
即ち、顔検出枠１３１とバッテリアイコン１４３のうち一方のバッテリアイコン１４３と同じ記号を、他方の顔検出枠１３１に重ならない位置にバッテリアイコン１４３のサイズよりも小さいサイズで表示する。これにより、操作者に対してバッテリアイコン１４３の位置が変化したことをガイドする。
【００７４】
矢印ガイド表示とは、バッテリアイコンをスライドする方向（本例では上方向）を操作者に示す記号による表示である。バッテリアイコン小表示とは、通常サイズ（矢印下側のアイコンサイズ）よりも小さいサイズ（矢印上側のアイコンサイズ）のバッテリアイコンを表示する表示形態である。
【００７５】
操作者が図１２に示す顔検出枠１３１とバッテリアイコン１４３が重なった部分（実線の楕円部分）をタッチすると、タッチパネル１２５と操作部１０７から出力される情報により、システム制御部１０１は、重なった部分のタッチを認識する。システム制御部１０１は、ディスプレイ制御部１０６により図１２に示すようにバッテリアイコン小を点滅表示とする。
【００７６】
また、システム制御部１０１は、設定時間経過後にタイムオーバーとなるタイマを起動する。タイマがタイムオーバーする前に操作者が図１３に示すようにタッチ位置をバッテリアイコン小とした場合は、タッチパネル１２５と操作部１０７から出力される情報により、システム制御部１０１は、タッチ位置がバッテリアイコン小であることを認識する。システム制御部１０１は、ディスプレイ制御部１０６に対してバッテリ情報表示をバッテリアイコンのみの簡易な情報表示に切り替える指示を行い、図２の簡易な情報表示とする。
【００７７】
他方、タイマがタイムオーバーするまで操作者によるタッチ位置の移動がない場合は、システム制御部１０１は、タッチパネル１２５と操作部１０７から出力される情報により、タッチ位置の顔検出枠が選択されたと判断する。システム制御部１０１は、操作者により選択された顔検出枠に対して合焦動作を行うように撮影処理部１０４を制御し、合焦動作を行う。
【００７８】
図１４、図１５、図６は、ビデオカメラのタッチパネル処理を示すフローチャートである。タッチパネル処理は、システム制御部１０１がシステム制御部１０１内のＲＯＭに格納された制御プログラムをＲＡＭに展開して実行することにより実現される。
【００７９】
図１４、図１５において、図１４のステップＳ６０１〜ステップＳ６０４は、図８のステップＳ５０１〜ステップＳ５０４と同様の処理なので説明を省略する。ステップＳ６０４の処理後、システム制御部１０１は、操作者がタッチした位置が図１１に示すバッテリアイコン小内に含まれているか否かを判断する（ステップＳ６０６）。操作者がタッチした位置がバッテリアイコン小内に含まれている場合は、ステップＳ６２０へ進み、操作者がタッチした位置がバッテリアイコン小内に含まれていない場合は、ステップＳ６０７へ進む。
【００８０】
図１４のステップＳ６０７〜ステップＳ６１１及び図１５のステップＳ６２０〜ステップＳ６２５は、図８のステップＳ５０６〜ステップＳ５１０及び図９のステップＳ５２０〜ステップＳ５２５と同様の処理なので説明を省略する。
【００８１】
ステップＳ６２０において、操作者がタッチした位置の座標が顔検出枠内に含まれている場合は、システム制御部１０１は、KeyFirstFlagの値をチェックする（ステップＳ６２９）。KeyFirstFlagの値が０の場合は、ステップＳ６４９へ進む。KeyFirstFlagの値が１の場合は、操作者がタッチパネル１２５上でタッチした位置の移動の有無を判断するため、システム制御部１０１は次の判断を行う。
【００８２】
操作者がタッチパネル１２５上で最初にタッチした位置の座標であるｘ１、ｙ１と、現在タッチしている位置の座標ｘ２、ｙ２の差をとり、ｘ１とｘ２の差が設定値ｎ以上か否か、ｙ１とｙ２の差が設定値ｍ以上か否かを判断する（ステップＳ６３０）。ｘ１とｘ２の差が設定値ｎ未満で、ｙ１とｙ２の差が設定値ｍ未満の場合は、システム制御部１０１は、操作者がタッチした位置に移動無しと判断し、ステップＳ６３３へ進む。
【００８３】
ｘ１とｘ２の差が設定値ｎ以上で、ｙ１とｙ２の差が設定値ｍ以上の場合は、システム制御部１０１は、操作者がタッチした位置に移動有りと判断できるため、操作者からの操作の受け付けを否とするKeyDisFlagの値を１とする（ステップＳ６３２）。その後、ステップＳ６４９へ進む。
【００８４】
上記ステップＳ６３０において、ｘ１とｘ２の差が設定値ｎ未満で、ｙ１とｙ２の差が設定値ｍ未満の場合は、システム制御部１０１は、タイマがタイムオーバーしているか否かを判断する（ステップＳ６３３）。タイマがタイムオーバーしていない場合は、ステップＳ６４９へ進む。タイマがタイムオーバーしている場合は、システム制御部１０１は、操作者のタッチ操作は一定時間タッチ位置が移動無しでのタッチ操作と判断し、ステップＳ６０９へ進む。
【００８５】
図１４のステップＳ６４９〜ステップＳ６５１及びステップＳ６６０〜ステップＳ６６２は、図８のステップＳ５４９〜ステップＳ５５１及びステップＳ５６０〜ステップＳ５６２と同様の処理なので説明を省略する。
【００８６】
図１６において、システム制御部１０１は、液晶ディスプレイ１２２上で顔検出枠とバッテリアイコンが重なっているか否かを判断する（ステップＳ６７０）。顔検出枠とバッテリアイコンが重なっていない場合は、システム制御部１０１は、図１１に示す矢印ガイド表示及びバッテリアイコン小表示をＯＦＦし（ステップＳ６７２）、ステップＳ６７０へ戻る。顔検出枠とバッテリアイコンが重なっている場合は、システム制御部１０１は、図１１に示す矢印ガイド表示及びバッテリアイコン小表示を行う（ステップＳ６７１）。
【００８７】
次に、システム制御部１０１は、操作者がタッチパネル１２５上の顔検出枠とバッテリアイコンが重なった領域をタッチしているか否かを判断する（ステップＳ６７３）。操作者が顔検出枠とバッテリアイコンが重なった領域をタッチしている場合は、システム制御部１０１は、図１２に示すようにバッテリアイコン小表示を点滅表示とし（ステップＳ６７４）、ステップＳ６７０へ戻る。操作者が顔検出枠とバッテリアイコンが重なった領域をタッチしていない場合は、バッテリアイコン小表示を点灯表示とし（ステップＳ６７５）、ステップＳ６７０へ戻る。
【００８８】
以上説明したように、本実施の形態によれば以下の効果を奏する。タッチパネル１２５のタッチ反応領域を移動可能とする操作（顔検出枠）と、タッチ反応領域を固定とする操作（バッテリアイコン）が重なった場合でも、それぞれの操作を容易に選択して実行することができる。
【００８９】
また、顔検出枠とバッテリアイコンが重なった場合（図１１）において、バッテリアイコンのタッチ操作を選択したい場合は、重なっていない領域に矢印ガイド表示とバッテリアイコン小表示を行うので、選択が容易になる。また、顔検出枠のタッチ操作を選択したい場合は、タッチ位置を一定時間保持するだけでよいため、選択が容易になる。
【００９０】
また、図１２に示したように顔検出枠とバッテリアイコンが重なった部分をタッチした場合は、バッテリアイコン小を点滅表示とすることにより、バッテリアイコン操作を選択したい場合の操作ガイドとなり、選択が容易になる。
【００９１】
〔他の実施の形態〕
第１の実施の形態では、操作者に対する操作ガイドとして液晶ディスプレイ１２２に文字を表示する例を挙げたが、これに限定されず、操作ガイドとして音声により報知する構成としてもよい。このようにすることで、文字表示を行わずに操作ガイドを実現できるため、液晶ディスプレイ１２２内の文字表示を少なくすることができ、撮影中の被写体を確認しやすくすることが可能となる。
【００９２】
第２の実施の形態では、操作ガイドとしてバッテリアイコン小を点滅表示する例を挙げたが、これに限定されず、操作ガイドとして音声により報知する構成としてもよい。このようにすることで、文字表示を行わずに操作ガイドを実現できるため、液晶ディスプレイ１２２内の文字表示を少なくすることができ、撮影中の被写体を確認しやすくすることが可能となる。
【００９３】
第１及び第２の実施の形態では、タッチパネルアイコンボタンとしてバッテリアイコン１４３を操作した場合の表示制御を例に挙げた。しかしこれに限定されず、動作モードアイコン１４１、記録先アイコン１４２等の他の表示アイテムの場合の表示制御にも適用可能である。また、顔検出枠もこれに限らず、他の表示オブジェクトでもよい。つまり、バッテリアイコンのように、固定位置に表示されるアイコンと顔検出枠のように任意の位置に表示される表示オブジェクトとが重なったり近傍に位置したりした場合に、本発明は適応可能である。
【００９４】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。前記プログラムは、表示制御装置の制御方法をコンピュータに実行させるためのコンピュータで読み取り可能なプログラムコードを有する。
【符号の説明】
【００９５】
１０１  システム制御部
１２２  液晶ディスプレイ
１２５  タッチパネル
１３１  顔検出枠
１４３  バッテリアイコン
【図１】
2013117909.tif 000003
【図２】
2013117909.tif 000004
【図３】
2013117909.tif 000005
【図４】
2013117909.tif 000006
【図５】
2013117909.tif 000007
【図６】
2013117909.tif 000008
【図７】
2013117909.tif 000009
【図８】
2013117909.tif 000010
【図９】
2013117909.tif 000011
【図１０】
2013117909.tif 000012
【図１１】
2013117909.tif 000013
【図１２】
2013117909.tif 000014
【図１３】
2013117909.tif 000015
【図１４】
2013117909.tif 000016
【図１５】
2013117909.tif 000017
【図１６】
2013117909.tif 000018